(57)【要約】【課題】バルコニー等の屋外腰壁の外壁側の端部の上面側と外壁面との間を、乾式で止水することができ、また、施工も容易な、バルコニー等の屋外腰壁と外壁との境界部分の乾式防水構造を提供する。【解決手段】金物３よりも上方領域において、外壁縦目地５内に、テープ状のしなやかな乾式粘着止水材６が、その幅方向の一方の側を縦目地を挟む一方の面部に粘着させ、もう一方の側をもう一方の側の面部に粘着させて外壁目地を止水するように備えられ、該乾式粘着止水材６の下端部が前記金物３の上面側に導出され、該金物３の上面側に広げられて粘着されている。乾式粘着止水材６は、幅方向の一方の側ともう一方の側とに切込み１０，１０が入れられ、各側が切込み部１０，１０で重ねられ粘着されて金物３の上面側に導出されているとよい。【選択図】      図１
2006283387.tif 000002
【特許請求の範囲】
【請求項１】
バルコニー等の屋外腰壁の外壁側の端部の上面部をカバーする腰壁側ベース部と、外壁面側に面する外壁側ベース部を備えたピース物の金物を具備し、
該金物の外壁側ベース部と外壁面との間に乾式の弾性止水材が介設され、該止水材が圧縮状態となるように外壁側ベース部が外壁面の側に寄せ込まれ、その寄せ込み状態において、腰壁側ベース部が腰壁に固着状態に取り付けられており、かつ、
該金物よりも上方領域において、外壁面材間の縦目地内には、テープ状のしなやかな乾式粘着止水材が、その幅方向の一方の側を縦目地を挟む一方の面部に粘着させ、もう一方の側をもう一方の側の面部に粘着させて外壁目地を止水するように備えられ、該乾式粘着止水材の下端部が前記金物の上面側に導出され、該金物の上面側に広げられて粘着されていることを特徴とする、バルコニー等の屋外腰壁と外壁との境界部分の乾式防水構造。
【請求項２】
前記乾式粘着止水材は、外壁縦目地内を延びる部分と金物の上面側に導出される部分との境界部において、幅方向の一方の側ともう一方の側とに切込みが入れられ、各側が切込み部で重ねられ粘着されて金物の上面側に導出されている請求項１に記載の、バルコニー等の屋外腰壁と外壁との境界部分の乾式防水構造。
【発明の詳細な説明】
【技術分野】
【０００１】
本発明は、バルコニー等の屋外腰壁と外壁との境界部分の乾式止水構造に関する。
【背景技術】
【０００２】
例えばバルコニー腰壁の外壁側の端部の上面側と、外壁面との間は、従来、バルコニー笠木と外壁面との間に湿式のコーキングを設けることによって止水されていた。また、外壁面材間の縦目地が前記コーキング部を通過するように備えられている場合は、外壁面材間の縦目地を湿式のコーキングで止水すると共に、このコーキングと、バルコニー笠木側のコーキングとを湿式でジョイントさせることが行われていた。
【発明の開示】
【発明が解決しようとする課題】
【０００３】
しかしながら、バルコニー笠木と外壁面との間は細かく入り込んだところであり、湿式でコーキングの施工を行うのは非常に厄介であるという問題がある。特に、上記のように、外壁面材間の縦目地がバルコニー笠木部分のコーキング部を通過するように備えられている場合には、外壁縦目地側のコーキングとバルコニー笠木側のコーキングをうまくジョイントするのにかなりの熟練を必要とする。
【０００４】
本発明は、上記のような問題点に鑑み、バルコニー等の屋外腰壁の外壁側の端部の上面側と外壁面との間を、乾式で止水することができ、また、施工も容易な、バルコニー等の屋外腰壁と外壁との境界部分の乾式防水構造を提供することを課題とする。
【課題を解決するための手段】
【０００５】
上記の課題は、バルコニー等の屋外腰壁の外壁側の端部の上面部をカバーする腰壁側ベース部と、外壁面側に面する外壁側ベース部を備えたピース物の金物を具備し、
該金物の外壁側ベース部と外壁面との間に乾式の弾性止水材が介設され、該止水材が圧縮状態となるように外壁側ベース部が外壁面の側に寄せ込まれ、その寄せ込み状態において、腰壁側ベース部が腰壁に固着状態に取り付けられており、かつ、
該金物よりも上方領域において、外壁面材間の縦目地内には、テープ状のしなやかな乾式粘着止水材が、その幅方向の一方の側を縦目地を挟む一方の面部に粘着させ、もう一方の側をもう一方の側の面部に粘着させて外壁目地を止水するように備えられ、該乾式粘着止水材の下端部が前記金物の上面側に導出され、該金物の上面側に広げられて粘着されていることを特徴とする、バルコニー等の屋外腰壁と外壁との境界部分の乾式防水構造によって解決される。
【０００６】
この構造では、金物の外壁側ベース部と外壁面との間が、それらの間に挟み込まれて圧縮された乾式の弾性止水材で止水され、金物の腰壁側ベース部が腰壁の外壁側の端部の上面をカバーしているので、この金物と乾式の弾性止水材とで、腰壁の外壁側の端部の上面側と外壁面との間を乾式でしっかりとした止水状態にすることができる。しかも、上記のようなピース物の金物を用いていることにより、乾式弾性止水材の圧縮を、外壁面側への金物の寄せ込みによって行うことができ、腰壁の外壁側の端部の上面側と外壁面との間を施工容易に止水することができる。なお、寄せ込みは、例えば、しの孔を設けてしのを使って行うこともでき、その場合は、しの孔は使用後に必要に応じて塞げばよい。
【０００７】
そして、金物よりも上方領域において、外壁面材間の縦目地内には、テープ状のしなやかな乾式粘着止水材が、その幅方向の一方の側を縦目地を挟む一方の面部に粘着させ、もう一方の側をもう一方の側の面部に粘着させて外壁目地を止水するように備えられ、該乾式粘着止水材の下端部が前記金物の上面側に導出され、該金物の上面側に広げられて粘着されているので、乾式粘着止水材によって縦目地を通じた屋内側への水の侵入をしっかりと防ぐことができ、また、縦目地内において乾式粘着止水材で止水された水は、金物の上面側に導出されている部分を通じて金物の上面側に排出され、乾式粘着止水材で止水された水の一部が下方に流れていかず、屋内側への水の侵入を防ぐことができ、これらの作用によって、上記の部分をしっかりとした止水状態にすることができる。しかも、テープ状のしなやかな粘着止水材を使用した止水構造であるので、止水材料費のコストダウンが可能である。
【０００８】
上記の構造において、乾式粘着止水材は、外壁縦目地内を延びる部分と金物の上面側に導出される部分との境界部において、幅方向の一方の側ともう一方の側とに切込みが入れられ、各側が切込み部で重ねられ粘着されて金物の上面側に導出されているとよい。その場合は、金物上面側への乾式粘着止水材の導出を施工容易にしてかつきれいに行うことができる。
【発明の効果】
【０００９】
本発明は、以上のとおりのものであるから、バルコニー等の屋外腰壁の外壁側の端部の上面側と外壁面との間を乾式で止水することができ、また、施工も容易である。
【発明を実施するための最良の形態】
【００１０】
次に、本発明の実施最良形態を図面に基づいて説明する。
【００１１】
図１〜図３に示す実施形態の止水構造において、１は屋外腰壁としてのバルコニー腰壁、２は外壁、３は金物であり、外壁面材４，４間の縦目地５が腰壁１を通過するように備えられている。
【００１２】
金物３は、ピース物からなっていて、腰壁１の外壁２側の端部の上面部をカバーする腰壁側ベース部１２と、外壁面２側に面する外壁側ベース部１３とを備えており、腰壁側ベース部１２は、下向き開放のチャンネル状をしていて、腰壁１の端部上面部に外嵌め状態に嵌合することができるようになされている。なお、１２ａは取付け孔である。
【００１３】
外壁側ベース部１３は、腰壁側ベース部１２の端部において、その上壁部と左右の側壁部から上方及び左右に張り出す板状門形をしていて、外壁面２と対向する側の面部には、ブチル系ゴムなどからなる乾式の弾性止水材１５が全面わたるように備えられている。
【００１４】
該金物３は、外壁側ベース部１３を外壁面２側に向け、腰壁側ベース部１２を、腰壁１の端部の上面部に外嵌め状態に嵌合した状態で、外壁面２の側に寄せ込まれ、腰壁１内のフレームに固定されている。
【００１５】
これにより、金物３の外壁側ベース部１３と外壁面２との間の弾性止水材１５が圧縮状態となって、金物３の外壁側ベース部１３と外壁面２との間が該弾性止水材１５で止水状態となり、また、金物３の腰壁側ベース部１２が腰壁１の外壁側の端部の上面をカバーし、それらによって、この金物３と乾式の弾性止水材１５とで、腰壁１の外壁側の端部の上面側と外壁面２との間が乾式でしっかりとした止水状態になる。
【００１６】
そして、金物３よりも上方領域において、外壁面材４，４間の縦目地５内には、ブチル系テープなどのテープ状のしなやかな乾式粘着止水材６が、図２（ロ）に示すように、その幅方向の一方の側６ａを縦目地５を挟む一方の面部５ａに粘着させ、もう一方の側６ａをもう一方の側の面部６ａに粘着させて外壁目地５を止水するように備えられ、該乾式粘着止水材６の下端部は、図３（イ）に示すように金物３の上面側に導出され、図２（ロ）に示すように金物３の腰壁側ベース部１２の上面において広げられ、該腰壁側ベース部１２に粘着されている。
【００１７】
該乾式粘着止水材６の取付けは、種々の方法で行われてよいが、例えば、粘着層の幅方向の中間部を挟む両側に離型紙を付けた乾式粘着止水材６の幅方向中間部の粘着層を柱７側の３次止水材８に粘着させ、屋外側から離型紙を剥がし取り、中間部を挟む両側の粘着層を外壁縦目地５を挟む各面５ａ，５ａに粘着させるというようにして行えば、きれいに取り付けることができる。
【００１８】
その場合に、図２（イ−１）に示すように、離型紙の付けられた乾式粘着止水材６の幅方向中間部６ａを挟む両側部分６ｂ，６ｂに、離型紙を含めて切込み１０，１０を入れておくことにより、金物３の上面側への乾式粘着止水材６の導出を、図２（イ−２）に示すように、幅方向の中間部６ｂを折り曲げるようにするだけで方向をきれいに変えさせることができ、その状態で離型紙を剥がせば、幅方向の一方の側ともう一方の側の各側６ｂ，６ｂが切込み部１０，１０で重ねられ、その部分を互いに粘着させてきれいな仕上がりの止水状態にすることができる。なお、離型紙付きの乾式粘着止水材６は、外壁の建方を行う前に柱７の３次止水材８の正面側に粘着させておいてもよいし、外壁の建方後に外壁目地に設置するようにしてもよい。なお、図３（ロ）（ハ）に示すように、外壁目地５内の乾式粘着止水材６で囲まれた内部には１次止水材としての乾式ガスケット１１が設置される。
【００１９】
上記の構造では、図３（ハ）に示すように、乾式粘着止水材６によって縦目地５を通じた屋内側への水の侵入をしっかりと防ぐことができ、また、縦目地５内において乾式粘着止水材６で止水された水は、金物３の上面側に導出されている部分を通じて金物３の上面側に排出され、乾式粘着止水材６で止水された水の一部が屋内側に流れていかず、これらの作用によって、しっかりとした止水状態を形成することができる。
【００２０】
しかも、テープ状のしなやかな乾式粘着止水材６を使用した止水構造であるので、止水材料費のコストダウンを図ることができ、上記のように離型紙を利用して乾式粘着止水材６の取付けを行うことにより、施工も容易にすることができる。
【００２１】
以上に、本発明の実施形態を示したが、本発明はこれに限られるものではなく、発明思想を逸脱しない範囲で各種の変更が可能である。例えば、上記の第１，第２実施形態では、屋外腰壁がバルコニーの腰壁である場合を示しているが、屋外に備えられるその他の腰壁であってもよい。
【図面の簡単な説明】
【００２２】
【図１】実施形態の止水構造を示す分解斜視図である。
【図２】図（イ−１）（イ−２）はそれぞれ、テープ状乾式粘着止水材の斜視図、図（ロ）は止水構造部分の断面平面図である。
【図３】図（イ）は乾式粘着止水材を金物の上面側に導出させた状態の断面側面図、図（ロ）は該導出部を金物の上面部に貼り付けた状態の断面側面図、図（ハ）は止水の状況を示す断面側面図である。
【符号の説明】
【００２３】
１…バルコニー腰壁（屋外腰壁）
２…外壁
３…金物
５…縦目地
６…テープ状乾式粘着止水材
１０…切込み
１２…腰壁側ベース部
１３…外壁側ベース部
１５…乾式弾性止水材
【図１】
2006283387.tif 000003
【図２】
2006283387.tif 000004
【図３】
2006283387.tif 000005